(57)【要約】【課題】  ＩＰ電話機の給電制御を容易に行うことが可能な給電管理サーバ、ＩＰ電話システム、給電管理方法を提供する。【解決手段】  制御部３ｄは、指示格納部３ｂにて格納されたＭＡＣアドレス３ｂ１と関連づけられて接続状態格納部３ａに格納されたポート情報３ａ２を読み出す。制御部３ｄは、その読み出されたポート情報３ａ２が示すポート１ｃからの電力供給を、指示格納部３ｂにてそのＭＡＣアドレス３ｂ１と関連づけられて格納された指示情報ｂ２に基づいて制御する。例えば、制御部３ｄは、その読み出されたポート情報３ａ２が示すポート１ｃからの電力供給をその指示情報３ｂ２に基づいて制御する旨の制御信号を生成し、その制御信号をそのポート１ｃを有する給電ハブ１に送信する。給電ハブ１は、その制御信号を受信すると、その制御信号に基づいて、そのポート１ｃからの電力供給を制御する。【選択図】      図１
2006197104.tif 000002
【特許請求の範囲】
【請求項１】
ＩＰ電話機と接続されるポートを介して該ＩＰ電話機に電力を供給可能なハブと接続され、前記ハブのポートからの電力供給を管理する給電管理サーバであって、
前記ＩＰ電話機の識別情報と、そのＩＰ電話機と接続されたポートを示すポート情報と、を関連づけて格納する接続状態格納部と、
前記ＩＰ電話機の識別情報と、そのＩＰ電話機への電力の供給状態を指示する指示情報と、を関連づいて格納する指示格納部と、
前記指示格納部にて格納されたＩＰ電話機の識別情報と関連づけられて前記接続状態格納部に格納されたポート情報を読み出し、その読み出されたポート情報が示すポートからの電力供給状態を前記指示格納部にて前記ＩＰ電話機の識別情報と関連づけられて格納された指示情報が示すように制御する制御部と、を含む給電管理サーバ。
【請求項２】
請求項１に記載の給電管理サーバにおいて、
前記指示情報は、前記ＩＰ電話機への電力供給を中止する期間を示し、
前記制御部は、前記ＩＰ電話機への電力供給を中止する期間では、前記読み出されたポート情報が示すポートからの電力供給を中止するように、前記ハブを制御する、給電管理サーバ。
【請求項３】
請求項１に記載の給電管理サーバにおいて、
前記指示情報は、前記ＩＰ電話機に電力を供給する期間を示し、
前記制御部は、前記ＩＰ電話機に電力を供給する期間では、前記読み出されたポート情報が示すポートから電力を供給するように、前記ハブを制御する、給電管理サーバ。
【請求項４】
請求項１ないし３のいずれか１項に記載の給電管理サーバにおいて、
前記制御部は、既に前記接続状態格納部に格納されているＩＰ電話機の識別情報が、前記接続状態格納部に新たに格納されると、その既に格納されていたＩＰ電話機の識別情報およびそのＩＰ電話機の識別情報と関連づけられていたポート情報とを、前記接続状態格納部から削除する、給電管理サーバ。
【請求項５】
請求項１ないし４のいずれか１項に記載の給電管理サーバにおいて、
前記ＩＰ電話機の識別情報は、該ＩＰ電話機のＭＡＣアドレスである、給電管理サーバ。
【請求項６】
請求項１ないし５のいずれか１項に記載の給電管理サーバと、ＩＰ電話機と、前記ＩＰ電話機と接続されるポートを介して該ＩＰ電話機に電力を供給可能なハブと、を含むＩＰ電話システムであって、
前記制御部は、前記読み出されたポート情報が示すポートからの電力供給状態を前記指示格納部にて格納された指示情報が示すように制御する旨の制御信号を生成し、その制御信号を前記ハブに送信し、
前記ハブは、前記ポートからの電力供給状態を前記制御信号に基づいて制御する、ＩＰ電話システム。
【請求項７】
ＩＰ電話機と接続されるポートを介して該ＩＰ電話機に電力を供給可能なハブと接続され、前記ＩＰ電話機の識別情報とそのＩＰ電話機と接続されたポートを示すポート情報とを関連づけて格納する接続状態格納部と、前記ＩＰ電話機の識別情報とそのＩＰ電話機への電力の供給状態を指示する指示情報とを関連づいて格納する指示格納部とを含む給電管理サーバが行う給電管理方法であって、
前記指示格納部にて格納されたＩＰ電話機の識別情報と関連づけられて前記接続状態格納部に格納されたポート情報を読み出す読み出しステップと、
前記読み出されたポート情報が示すポートからの電力供給状態を前記指示格納部にて前記ＩＰ電話機の識別情報と関連づけられて格納された指示情報が示すように制御する制御ステップと、を含む給電管理方法。
【請求項８】
請求項７に記載の給電管理方法において、
前記指示情報は、前記ＩＰ電話機への電力供給を中止する期間を示し、
前記制御ステップでは、前記ＩＰ電話機への電力供給を中止する期間は、前記読み出されたポート情報が示すポートからの電力供給を中止するように、前記ハブを制御する、給電管理方法。
【請求項９】
請求項７に記載の給電管理方法において、
前記指示情報は、前記ＩＰ電話機に電力を供給する期間を示し、
前記制御ステップでは、前記ＩＰ電話機に電力を供給する期間は、前記読み出されたポート情報が示すポートから電力を供給するように、前記ハブを制御する、給電管理方法。
【請求項１０】
請求項７ないし９のいずれか１項に記載の給電管理方法において、
既に前記接続状態格納部に格納されているＩＰ電話機の識別情報が、前記接続状態格納部に新たに格納されると、その既に格納されていたＩＰ電話機の識別情報およびそのＩＰ電話機の識別情報と関連づけられていたポート情報とを、前記接続状態格納部から削除する削除ステップをさらに含む、給電管理方法。
【請求項１１】
請求項７ないし１０のいずれか１項に記載の給電管理方法において、
前記ＩＰ電話機の識別情報は、該ＩＰ電話機のＭＡＣアドレスである、給電管理方法。
【請求項１２】
請求項１ないし５のいずれか１項に記載の給電管理サーバと、ＩＰ電話機と、前記ＩＰ電話機と接続されるポートを介して該ＩＰ電話機に電力を供給可能なハブと、を含むＩＰ電話システムが行う給電管理方法であって、
前記給電管理サーバが、前記指示格納部にて格納されたＩＰ電話機の識別情報と関連づけられて前記接続状態格納部に格納されたポート情報を読み出す読み出しステップと、
前記給電管理サーバが、前記読み出されたポート情報が示すポートからの電力供給状態を前記指示格納部にて格納された指示情報が示すように制御する旨の制御信号を生成し、その制御信号を前記ハブに送信する送信ステップと、
前記ハブが、前記ポートからの電力供給状態を前記制御信号に基づいて制御する電力供給制御ステップと、を含む給電管理方法。
【請求項１３】
ＩＰ電話機と接続されるポートを介して該ＩＰ電話機に電力を供給可能なハブと、前記ＩＰ電話機の識別情報とそのＩＰ電話機と接続されたポートを示すポート情報とを関連づけて格納する接続状態格納部と、前記ＩＰ電話機の識別情報とそのＩＰ電話機への電力の供給状態を指示する指示情報とを関連づいて格納する指示格納部と、に接続されたコンピュータに給電管理処理を実行させるプログラムであって、
前記指示格納部にて格納されたＩＰ電話機の識別情報と関連づけられて前記接続状態格納部に格納されたポート情報を読み出す読み出し処理と、
前記読み出されたポート情報が示すポートからの電力供給状態を、前記指示格納部にて前記ＩＰ電話機の識別情報と関連づけられて格納された指示情報が示すように制御する制御処理と、を含む給電管理処理を前記コンピュータに実行させるプログラム。
【発明の詳細な説明】
【技術分野】
【０００１】
本発明は、給電管理サーバ、ＩＰ電話システム、給電管理方法およびプログラムに関し、特には、ハブのポートを介して接続されるＩＰ電話機への給電を管理する給電管理サーバ、ＩＰ電話システム、給電管理方法およびプログラムに関する。
【背景技術】
【０００２】
従来、ＩＰ（Internet Protcol）電話システムが知られている。例えば、特許文献１（特開２００３−４６６６５号公報）には、複数のＩＰ電話機と、パワーハブ（給電ハブ）と、構内交換機（ＰＢＸ）とを含むＩＰ電話システムが記載されている。
【０００３】
このＩＰ電話システムでは、複数のＩＰ電話機のそれぞれは、パワーハブのポートに接続される。パワーハブは、各ポートに接続されたＩＰ電話機に電力を供給する。
【０００４】
なお、パワーハブは、給電のオンオフを制御する機能を有する。
【０００５】
また、特許文献２（特開２０００−２８７２４０号公報）には、ボタン電話機の消費電力を少なくできるボタン電話装置が記載されている。具体的には、複数のボタン電話機が主装置と接続され、その主装置がそれら複数のボタン電話機への給電を制御してボタン電話機の消費電力を少なくする。
【０００６】
このため、特許文献１に記載のパワーハブが、特許文献２に記載の主装置の給電制御技術を実行すれば、ＩＰ電話機の消費電力を少なくすることが可能になる。
【発明の開示】
【発明が解決しようとする課題】
【０００７】
特許文献１に記載のパワーハブが、特許文献２に記載の給電制御技術を実行する場合、ＩＰ電話機への給電制御は、パワーハブ単位で行われる。このため、例えば、複数のパワーハブが存在するＩＰ電話システムでは、パワーハブごとに、ＩＰ電話機の給電制御の設定を行わなければならない。したがって、ＩＰ電話システムとしては、給電制御の設定が複雑になってしまう。
【０００８】
本発明の目的は、ＩＰ電話機の給電制御を容易に行うことが可能な給電管理サーバ、ＩＰ電話システム、給電管理方法およびプログラムを提供することである。
【課題を解決するための手段】
【０００９】
上記目的を達成するために、本発明の給電管理サーバは、ＩＰ電話機と接続されるポートを介して該ＩＰ電話機に電力を供給可能なハブと接続され、前記ポートからの電力供給を管理する給電管理サーバであって、前記ＩＰ電話機の識別情報と、そのＩＰ電話機と接続されたポートを示すポート情報と、を関連づけて格納する接続状態格納部と、前記ＩＰ電話機の識別情報と、そのＩＰ電話機への電力の供給状態を指示する指示情報と、を関連づいて格納する指示格納部と、前記指示格納部にて格納されたＩＰ電話機の識別情報と関連づけられて前記接続状態格納部に格納されたポート情報を読み出し、その読み出されたポート情報が示すポートからの電力供給状態を、前記指示格納部にて前記ＩＰ電話機の識別情報と関連づけられて格納された指示情報が示すように制御する制御部とを含む。
【００１０】
また、本発明の給電管理方法は、ＩＰ電話機と接続されるポートを介して該ＩＰ電話機に電力を供給可能なハブと接続され、前記ＩＰ電話機の識別情報とそのＩＰ電話機と接続されたポートを示すポート情報とを関連づけて格納する接続状態格納部と、前記ＩＰ電話機の識別情報とそのＩＰ電話機への電力の供給状態を指示する指示情報とを関連づいて格納する指示格納部とを含む給電管理サーバが行う給電管理方法であって、前記指示格納部にて格納されたＩＰ電話機の識別情報と関連づけられて前記接続状態格納部に格納されたポート情報を読み出す読み出しステップと、前記読み出されたポート情報が示すポートからの電力供給状態を、前記指示格納部にて前記ＩＰ電話機の識別情報と関連づけられて格納された指示情報が示すように制御する制御ステップとを含む。
【００１１】
上記の発明によれば、給電管理サーバが、指示格納部にて格納されたＩＰ電話機の識別情報と関連づけられて接続状態格納部に格納されたポート情報を読み出し、その読み出されたポート情報が示すポートからの電力供給状態を、指示格納部にて格納された指示情報が示すように制御する。
【００１２】
このため、給電管理サーバがハブの給電を管理できる。よって、例えば、複数のハブが存在するＩＰ電話システムでも、給電管理サーバが各ハブの給電を管理でき、ハブごとに給電制御の設定を行う必要がなくなる。したがって、ＩＰ電話機の給電制御を容易に行うことが可能となる。
【００１３】
なお、前記指示情報は、前記ＩＰ電話機への電力供給を中止する期間を示し、前記ＩＰ電話機への電力供給を中止する期間では、前記読み出されたポート情報が示すポートからの電力供給が中止されるように、ハブが制御されることが望ましい。
【００１４】
上記の発明によれば、任意の期間において、ＩＰ電話機への電力供給を中止することが可能になる。
【００１５】
また、前記指示情報は、前記ＩＰ電話機に電力を供給する期間を示し、前記ＩＰ電話機に電力を供給する期間では、前記読み出されたポート情報が示すポートから電力が供給されるように、ハブが制御されることが望ましい。
【００１６】
上記の発明によれば、任意の期間において、ＩＰ電話機へ電力を供給することが可能になる。
【００１７】
また、既に前記接続状態格納部に格納されているＩＰ電話機の識別情報が、前記接続状態格納部に新たに格納されると、その既に格納されていたＩＰ電話機の識別情報およびそのＩＰ電話機の識別情報と関連づけられていたポート情報とが、前記接続状態格納部から削除されることが望ましい。
【００１８】
上記の発明によれば、ＩＰ電話機とポートとの接続関係が変わると、古い接続情報が削除される。このため、接続状態格納部には、最新の接続状態が格納される。
【００１９】
前記ＩＰ電話機の識別情報は、該ＩＰ電話機のＭＡＣアドレスであることが望ましい。
【００２０】
本発明のＩＰ電話システムは、上記給電管理サーバと、ＩＰ電話機と、前記ＩＰ電話機と接続されるポートを介して該ＩＰ電話機に電力を供給可能なハブと、を含むＩＰ電話システムであって、前記制御部は、前記読み出されたポート情報が示すポートからの電力供給状態を前記指示格納部にて格納された指示情報が示すように制御する旨の制御信号を生成し、その制御信号を前記ハブに送信し、前記ハブは、前記ポートからの電力供給状態を前記制御信号に基づいて制御する。
【００２１】
本発明の給電管理方法は、給電管理サーバと、ＩＰ電話機と、前記ＩＰ電話機と接続されるポートを介して該ＩＰ電話機に電力を供給可能なハブと、を含むＩＰ電話システムが行う給電管理方法であって、前記給電管理サーバが、前記指示格納部にて格納されたＩＰ電話機の識別情報と関連づけられて前記接続状態格納部に格納されたポート情報を読み出す読み出しステップと、前記給電管理サーバが、前記読み出されたポート情報が示すポートからの電力供給状態を前記指示格納部にて格納された指示情報が示すように制御する旨の制御信号を生成し、その制御信号を前記ハブに送信する送信ステップと、前記ハブが、前記ポートからの電力供給を前記制御信号に基づいて制御する電力供給制御ステップと、を含む。
【００２２】
上記の発明によれば、給電管理サーバがハブの給電を管理できる。よって、例えば、複数のハブが存在するＩＰ電話システムでも、給電管理サーバが各ハブの給電を管理でき、ハブごとに給電制御の設定を行う必要がなくなる。したがって、ＩＰ電話機の給電制御を容易に行うことが可能となる。
【００２３】
本発明のプログラムは、ＩＰ電話機と接続されるポートを介して該ＩＰ電話機に電力を供給可能なハブと、前記ＩＰ電話機の識別情報とそのＩＰ電話機と接続されたポートを示すポート情報とを関連づけて格納する接続状態格納部と、前記ＩＰ電話機の識別情報とそのＩＰ電話機への電力の供給状態を指示する指示情報とを関連づいて格納する指示格納部と、に接続されたコンピュータに給電管理処理を実行させるプログラムであって、前記指示格納部にて格納されたＩＰ電話機の識別情報と関連づけられて前記接続状態格納部に格納されたポート情報を読み出す読み出し処理と、前記読み出されたポート情報が示すポートからの電力供給状態を、前記指示格納部にて前記ＩＰ電話機の識別情報と関連づけられて格納された指示情報が示すように制御する制御処理と、を含む給電管理処理を前記コンピュータに実行させる。
【００２４】
上記の発明によれば、上記給電管理方法をコンピュータに実行させることが可能になる。
【発明の効果】
【００２５】
本発明によれば、ＩＰ電話機の給電制御を容易に行うことが可能となる。
【発明を実施するための最良の形態】
【００２６】
以下、本発明の実施例について図面を参照して説明する。
【００２７】
図１は、本発明の一実施例のＩＰ電話システムを示したブロック図である。
【００２８】
図１において、ＩＰ電話システムは、ＬＡＮ上で構成され、また、給電ハブ１ａと、給電ハブ１ｂと、ＩＰ電話機２ａ〜２ｎと、給電管理サーバ３とを含む。
【００２９】
本実施例では、２つの給電ハブが用いられているが、給電ハブの数は適宜変更可能である。なお、給電ハブ１ａと給電ハブ１ｂは、同一構成とする。
【００３０】
給電ハブ１ａおよび１ｂは、複数のポート１ｃを有する。給電ハブ１ａおよび１ｂは、通常のハブ機能に加えて、各ポート１ｃに接続された機器（ＩＰ電話機２）に電力を供給することが可能である。
【００３１】
ＩＰ電話機２ａ〜２ｉのそれぞれは、給電ハブ１ａのポート１ｃと接続され、その接続  されたポート１ｃから電力が供給される。ＩＰ電話機２ａ〜２ｉのそれぞれは、ＬＡＮ給電機能を有する。
【００３２】
また、ＩＰ電話機２ｊ〜２ｎのそれぞれは、給電ハブ１ｂのポート１ｃと接続され、その接続されたポート１ｃから電力が供給される。ＩＰ電話機２ｊ〜２ｎのそれぞれは、ＬＡＮ給電機能を有する。なお、ＩＰ電話機２の数は、適宜変更可能である。
【００３３】
給電管理サーバ３は、ＬＡＮインタフェイス（Ｉ／Ｆ）を介し、給電ハブ１ａおよび１ｂに接続され、給電ハブ１ａおよび１ｂの各ポート１ｃからの電力供給を管理する。
【００３４】
給電管理サーバ３は、接続状態格納部３ａと、指示格納部３ｂと、メモリ３ｃと、制御部３ｄとを含む。
【００３５】
接続状態格納部３ａは、ＩＰ電話機２ａ〜２ｎの識別情報と、そのＩＰ電話機が接続されたポート１ｃを示すポート情報とを、関連づけて格納する。なお、本実施例では、ＩＰ電話機２ａ〜２ｎの識別情報として、ＩＰ電話機２のＭＡＣアドレスが用いられる。
【００３６】
図２は、接続状態格納部３ａの一例を示した説明図である。
【００３７】
図２において、接続状態格納部３ａには、ＩＰ電話機２のＭＡＣアドレス３ａ１と、そのＩＰ電話機２と接続されたポート１ｃを示すポート情報３ａ２と、そのＩＰ電話機２の内線番号３ａ３とが、関連づけて格納されている。
【００３８】
図１に戻って、指示格納部３ｂは、ＩＰ電話機２ａ〜２ｎの識別情報と、そのＩＰ電話機への電力の供給状態を指示する指示情報とを、関連づけて格納する。
【００３９】
図３は、指示格納部３ｂの一例を示した説明図である。
【００４０】
図３において、指示格納部３ｂには、ＩＰ電話機２のＭＡＣアドレス３ｂ１と、そのＩＰ電話機２への電力の供給状態を指示する指示情報３ｂ２とが、関連づけて格納されている。
【００４１】
なお、指示情報３ｂ２は、その指示情報３ｂ２と関連づけられているＩＰ電話機２への電力供給を中止する期間（例えば、休日または夜間）を示してもよいし、また、その指示情報３ｂ２と関連づけられているＩＰ電話機２に電力を供給する期間を示してもよい。
【００４２】
図１に戻って、メモリ３ｃは、コンピュータによって読み取り可能な記録媒体である。メモリ３ｃには、給電管理サーバ３の動作を規定するプログラムが記録されている。
【００４３】
制御部３ｄは、ＣＰＵ等のコンピュータであり、メモリ３ｃに記録されたプログラムを読み取り、その読み取られたプログラムを実行して以下に示すような種々の機能を実現する。
【００４４】
制御部３ｄは、時計機能およびカレンダ機能を有する。
【００４５】
制御部３ｄは、指示格納部３ｂにて格納されたＭＡＣアドレス３ｂ１と関連づけられて接続状態格納部３ａに格納されたポート情報３ａ２を読み出す。
【００４６】
制御部３ｄは、その読み出されたポート情報３ａ２が示すポート１ｃからの電力供給状態を、指示格納部３ｂにてそのＭＡＣアドレス３ｂ１と関連づけられて格納された指示情報３ｂ２が示すように制御する。
【００４７】
例えば、制御部３ｄは、その読み出されたポート情報３ａ２が示すポート１ｃからの電力供給状態をその指示情報３ｂ２が示すように制御する旨の制御信号を生成し、その制御信号をそのポート１ｃを有する給電ハブ１に送信する。給電ハブ１は、その制御信号を受信すると、その制御信号に基づいて、そのポート１ｃからの電力供給状態を制御する。
【００４８】
指示情報３ｂ２が、ＩＰ電話機２への電力供給を中止する期間を示している場合には、制御部３ｄは、その期間では、その指示情報３ｂ２とＭＡＣアドレスを介して関連づけられているポート情報３ａ２が示すポート１ｃからの電力供給を中止するように、給電ハブ１を制御する。
【００４９】
また、指示情報３ｂ２がＩＰ電話機２に電力を供給する期間を示している場合には、制御部３ｄは、その期間では、その指示情報３ｂ２とＭＡＣアドレスを介して関連づけられているポート情報３ａ２が示すポート１ｃから電力を供給するように、給電ハブ１を制御する。
【００５０】
また、制御部３ｄは、既に接続状態格納部３ａに格納されているＭＡＣアドレス３ａ１が、接続状態格納部３ａに新たに格納されると、その既に格納されていたＭＡＣアドレス３ａ１およびそのＭＡＣアドレス３ａ１と関連づけられていたポート情報３ａ２および内線番号３ａ３とを、接続状態格納部３ａから削除する。
【００５１】
なお、接続状態格納部３ａが格納するＭＡＣアドレス３ａ１およびポート情報３ａ２は、以下のように取得されることが望ましい。
【００５２】
ＩＰ電話機２が給電ハブ１のポート１ｃに接続されて、給電ハブ１がそのＩＰ電話機２に給電を開始した直後、給電ハブ１は、そのＩＰ電話機２のＭＡＣアドレスを取得する。
【００５３】
給電ハブ１は、そのＭＡＣアドレスを、そのＩＰ電話機２が接続されたポート１ｃを示すポート情報と関連づけて格納する。
【００５４】
給電ハブ１は、そのＭＡＣアドレスとポート情報とを給電管理サーバ３に送信する。
【００５５】
給電管理サーバ３（具体的には、制御部３ｄ）は、そのＭＡＣアドレスとポート情報とを互いに関連づけて接続状態格納部３ａに格納する。
【００５６】
なお、以上詳細に実施例の構成を述べたが、給電ハブ１の給電方法は、当業者にとってよく知られており、また本発明とは直接関係しないので、その詳細な構成は省略する。
【００５７】
また、給電管理サーバ３が、ＩＰ電話システムの主装置であってもよい。
【００５８】
次に、動作を説明する。
【００５９】
図４は、ＩＰ電話システムの動作を説明するためのシーケンス図である。以下、図４を参照してＩＰ電話システムの動作を説明する。
【００６０】
ステップＳ４０１では、ＩＰ電話機２が給電ハブ１のポート１ｃに接続される。ＩＰ電話機２が給電ハブ１のポート１ｃに接続されると、給電ハブ１は、ステップＳ４０２を実行する。
【００６１】
ステップＳ４０２では、給電ハブ１は、ポート１ｃに接続されたＩＰ電話機２に電力を供給する。ＩＰ電話機２に電力が供給されると、ＩＰ電話機２は、ステップＳ４０３を実行する。
【００６２】
ステップＳ４０３では、ＩＰ電話機２は、給電管理サーバ３宛の内線登録依頼を給電ハブ１に出力する。この際、ＩＰ電話機２は、内線登録依頼とともに自己のＭＡＣアドレスを給電ハブ１に出力する。
【００６３】
給電ハブ１は、内線登録依頼とＭＡＣアドレスをＩＰ電話機２から受け付けると、ステップＳ４０４を実行する。
【００６４】
ステップＳ４０４では、給電ハブ１は、そのＭＡＣアドレスを、ＩＰ電話機２が接続されたポート１ｃを示すポート情報と関連づけて格納する。その後、給電ハブ１は、給電管理サーバ３宛の内線登録依頼と、そのＭＡＣアドレスとそのポート情報とを給電管理サーバ３に送信する。
【００６５】
給電管理サーバ３（具体的には、制御部３ｄ）は、給電管理サーバ３宛の内線登録依頼と、そのＭＡＣアドレスと、そのポート情報とを受け付けると、ステップＳ４０５を実行する。
【００６６】
ステップＳ４０５では、制御部３ｄは、そのＭＡＣアドレスとそのポート情報とを互いに関連づけて接続状態格納部３ａに格納する。
【００６７】
その後、制御部３ｄは、その内線登録依頼を送信したＩＰ電話機２に内線番号を付与する。具体的には、制御部３ｄは、その内線番号を、その内線番号が付与されるＩＰ電話機２のＭＡＣアドレスと関連づけて接続状態格納部３ａに格納する。
【００６８】
その後、制御部３ｄは、ステップＳ４０６を実行する。
【００６９】
ステップＳ４０６では、制御部３ｄは、給電ハブ１を介して、その内線登録依頼を送信したＩＰ電話機２に、その内線番号を通知する。
【００７０】
ＩＰ電話機２は、内線番号の通知を受けると、その内線番号を設定して通常動作を行う。
【００７１】
一方、ＩＰ電話システムの管理者は、ＩＰ電話機２のＭＡＣアドレスとそのＩＰ電話機２への電力の供給状態を指示する指示情報とを、給電管理サーバ３に入力する。給電管理サーバ３の制御部３ｄは、そのＩＰ電話機２のＭＡＣアドレスとその指示情報とを受け付けると、ステップＳ４０７を実行する。
【００７２】
ステップＳ４０７では、制御部３ｄは、そのＩＰ電話機２のＭＡＣアドレスとその指示情報とを関連づけて指示格納部３ｂに格納する。
【００７３】
制御部３ｄは、指示格納部３ｂにて格納されたＭＡＣアドレスと関連づけられて接続状態格納部３ａに格納されたポート情報を読み出す。
【００７４】
制御部３ｄは、その読み出されたポート情報が示すポート１ｃからの電力供給状態を、指示格納部３ｂにてそのＭＡＣアドレスと関連づけられて格納された指示情報に基づいて制御する。
【００７５】
例えば、指示情報として、ＩＰ電話機２への電力供給を中止する期間（夜間または休日）が用いられている場合、制御部３ｄは、以下のように動作する。
【００７６】
現在の日時がＩＰ電話機２への電力供給を中止する期間になると、制御部３ｄは、ステップＳ４０８を実行する。
【００７７】
ステップＳ４０８では、制御部３ｄは、給電ハブ１に対して、その指示情報と関連づけられたＭＡＣアドレスを有するＩＰ電話機２と接続するポート１ｃからの電力供給を中止するコマンド（制御信号）を送る。給電ハブ１は、そのコマンドを受信すると、ステップＳ４０９を実行する。
【００７８】
ステップＳ４０９では、給電ハブ１は、そのコマンドに基づいて、そのポート１ｃからの電力供給を中止する。このため、ＩＰ電話機２の電源はオフとなる。
【００７９】
現在の日時がＩＰ電話機２への電力供給を中止する期間から外れると、制御部３ｄは、ステップＳ４１０を実行する。
【００８０】
ステップＳ４１０では、制御部３ｄは、給電ハブ１に対して、その指示情報と関連づけられたＭＡＣアドレスを有するＩＰ電話機２と接続するポート１ｃからの電力供給を開始するコマンド（制御信号）を送る。給電ハブ１は、そのコマンドを受信すると、ステップＳ４１１を実行する。
【００８１】
ステップＳ４１１では、給電ハブ１は、そのコマンドに基づいて、そのポート１ｃからの電力供給を開始する。このため、ＩＰ電話機２の電源はオンとなる。その後、ＩＰ電話機２は、ステップＳ４０３を実行する。
【００８２】
このように、ＩＰ電話機２への給電のオン・オフが給電管理サーバ３によって制御されるため、ＩＰ電話機２の消費電力を減らすことが可能になり、電気代の節約が図れる。
【００８３】
次に、一旦、給電ハブ１のポート１ｃに接続されたＩＰ電話機２が、他のポート１ｃに移動された場合の動作を説明する。
【００８４】
ＩＰ電話機２が給電ハブ１のポート１ｃから取り外されると、給電ハブ１は、ステップＳ４１２を実行する。
【００８５】
ステップＳ４１２では、給電ハブ１は、ＩＰ電話機２が取り外されたポート１ｃからの電力供給を中止する。その後のステップＳ４１３では、ＩＰ電話機２が給電ハブ１の他のポート１ｃに再接続される。ＩＰ電話機２が給電ハブ１の他のポート１ｃに接続されると、給電ハブ１は、ステップＳ４０２を実行する。これ以降、ステップＳ４０３、Ｓ４０４が実行される。
【００８６】
ステップＳ４０４が実行されると、制御部３ｄは、ステップＳ４１４を実行する。
【００８７】
ステップＳ４１４では、制御部３ｄは、そのＭＡＣアドレスとそのポート情報とを互いに関連づけて接続状態格納部３ａに格納する。
【００８８】
その後、制御部３ｄは、内線登録依頼を送信したＩＰ電話機２に内線番号を付与する。具体的には、制御部３ｄは、その内線番号を、その内線番号が付与されるＩＰ電話機２のＭＡＣアドレスと関連づけて接続状態格納部３ａに格納する。
【００８９】
その後、制御部３ｄは、既に接続状態格納部３ａに格納されているＭＡＣアドレスが、接続状態格納部３ａに新たに格納されると、その既に格納されていたＭＡＣアドレスおよびそのＭＡＣアドレスと関連づけられていたポート情報および内線番号とを、接続状態格納部３ａから削除する。
【００９０】
本実施例によれば、以下に記載するような効果を奏する。
【００９１】
第１の効果は、ＩＰ電話機２の電源管理をすることにより、消費電力の低減を図ることが可能になることである。
【００９２】
第２の効果は、給電管理サーバ３がＩＰ電話機２への給電を管理しているので、ＩＰ電話機一台一台の電源管理、または、ＩＰ電話機のグループ毎の電源管理ができることである。
【００９３】
ＩＰ電話機は、既存の電話機より消費電力が大きい可能性が高い。よって、VoIPにすることにより、ＩＰ電話機の通信費は低減できるが、ＩＰ電話機の電気代は低減できない。
【００９４】
本実施例によれば、ＩＰ電話機の省電力化を図ることが可能となるため、電気代の低減も図ることが可能となる。
【００９５】
また、本実施例では、給電管理サーバ３が、指示格納部３ｂにて格納されたＩＰ電話機のＭＡＣアドレス（識別情報）と関連づけられて接続状態格納部３ａに格納されたポート情報を読み出し、その読み出されたポート情報が示すポートからの電力供給状態を、指示格納部３ｂにて格納された指示情報が示すように制御する。
【００９６】
このため、給電管理サーバ３が給電ハブ１の給電を管理できる。よって、例えば、複数の給電ハブ１が存在するＩＰ電話システムでも、給電管理サーバ３が各給電ハブ１の給電を管理でき、給電ハブ１ごとに給電制御の設定を行う必要がなくなる。したがって、ＩＰ電話機２の給電制御を容易に行うことが可能となる。
【００９７】
また、本実施例では、指示情報が、ＩＰ電話機２への電力供給を中止する期間を示し、制御部３ｄは、ＩＰ電話機２への電力供給を中止する期間では、その指示情報とＭＡＣアドレスを介して関連づけられたポート情報が示すポートからの電力供給を中止するように、給電ハブ１を制御する。この場合、任意の期間において、ＩＰ電話機への電力供給を中止することが可能になる。
【００９８】
また、指示情報が、ＩＰ電話機２に電力を供給する期間を示し、制御部３ｄが、そのＩＰ電話機２に電力を供給する期間では、その指示情報とＭＡＣアドレスを介して関連づけられたポート情報が示すポートから電力を供給するように、給電ハブ１を制御することが望ましい。この場合、任意の期間において、ＩＰ電話機へ電力を供給することが可能になる。
【００９９】
また、本実施例では、制御部３ｄは、既に接続状態格納部３ａに格納されているＩＰ電話機のＭＡＣアドレスが、接続状態格納部３ａに新たに格納されると、その既に格納されていたＩＰ電話機のＭＡＣアドレスおよびそのＭＡＣアドレスと関連づけられていたポート情報とが、接続状態格納部３ａから削除される。
【０１００】
この場合、ＩＰ電話機２とポート１ｃとの接続関係が変わると、古い接続情報が削除される。このため、接続状態格納部３ａには、最新の接続状態が格納される。
【０１０１】
以上説明した実施例において、図示した構成は単なる一例であって、本発明はその構成に限定されるものではない。
【０１０２】
例えば、ＩＰ電話機の識別情報は、ＩＰ電話機のＭＡＣアドレスに限らず適宜変更可能である。
【０１０３】
また、図１では、接続状態格納部３ａと指示格納部３ｂとを別構成として示したが、接続状態格納部３ａと指示格納部３ｂとを１つの格納部にまとめてもよい。この場合、その格納部（接続状態格納部３ａと指示格納部３ｂとを含む。）は、ＩＰ電話機の識別情報と、そのＩＰ電話機と接続されたポートを示すポート情報と、そのＩＰ電話機への電力の供給状態を指示する指示情報とを、関連づいて格納することが望ましい。
【図面の簡単な説明】
【０１０４】
【図１】本発明の一実施例のＩＰ電話システムを示したブロック図である。
【図２】接続状態格納部３ａの一例を示した説明図である。
【図３】指示格納部３ｂの一例を示した説明図である。
【図４】ＩＰ電話システムの動作を説明するためのシーケンス図である。
【符号の説明】
【０１０５】
１ａ、１ｂ  給電ハブ
１ｃ        ポート
２          ＩＰ電話機
３          給電管理サーバ
３ａ        接続状態格納部
３ｂ        指示格納部
３ｃ        メモリ
３ｄ        制御部
【図１】
2006197104.tif 000003
【図２】
2006197104.tif 000004
【図３】
2006197104.tif 000005
【図４】
2006197104.tif 000006